【手続補正書】
【提出日】平成18年1月18日(2006.1.18)
【手続補正１】
【補正対象書類名】明細書
【補正対象項目名】特許請求の範囲
【補正方法】変更
【補正の内容】
【特許請求の範囲】
【請求項１】  ピックアップ装置の回転フォークにより拾い上げた牧草等を搬送装置によってロールベール成形装置へと搬送し、そのロールベール成形装置により牧草等をロールベールに成形するロールベーラにおいて、
上記搬送装置は、上記回転フォークで拾い上げた牧草等を上記ロールベール成形装置まで案内するための床板と、その床板の経路の途中に設けられ、上記床板上を搬送される牧草等を切断するための切断刃と、上記床板の上方に設けられ、上記牧草等を上記切断刃に押し付けつつ上記ロールベール成形装置側へ搬送する回転搬送ロータとを備え、
上記回転搬送ロータの下方で上記床板の両側部に、上記ロールベール成形装置側に向かうにつれて幅方向内側に突出するように傾斜する傾斜部材を配置したことを特徴とするロールベーラ。
【請求項２】  上記傾斜部材の傾斜角度が変更可能である請求項１記載のロールべーラ。
【請求項３】  上記搬送装置が更に、上記床板の後方に設けられ、床板上を搬送された牧草等を上記ロールベール成形装置まで搬送する搬送ローラを備えた請求項１又は２記載のロールベーラ。
【請求項４】  上記搬送装置が、上記搬送ローラの上方に揺動自在かつ回転自在に設けられた押圧搬送手段を更に備えた請求項３記載のロールベーラ。
【請求項５】  上記押圧搬送手段が駆動ローラからなる請求項４記載のロールベーラ。
【請求項６】  上記ピックアップ装置の上方に、上記回転フォークで拾い上げた牧草等を上記回転フォークとで挟み込む第一押さえ棒を設け、上記床板の上方に、上記回転搬送ロータの前方から上記切断刃の上方に延出し、床板上を搬送される牧草等を上記床板及び切断刃に押し付ける第二押さえ棒を設けた請求項１〜５いずれかに記載のロールベーラ。
【請求項７】  上記第一押さえ棒の後端部と上記第二押さえ棒の前端部とがオーバーラップさせて設けられる請求項６記載のロールベーラ。
【請求項８】  上記回転搬送ロータの前方から上記回転搬送ロータと上記床板との間を通って上記搬送ローラ近傍まで延出し、上記牧草等を上記床板及び搬送ローラに押し付ける第三押さえ棒を更に備えた請求項３〜５いずれかに記載のロールベーラ。
【請求項９】  上記回転搬送ロータは上記床板の幅方向に間隔を隔てて複数設けられた搬送爪を有し、上記第三押さえ棒は、上記回転搬送ロータの前方に位置する部分が、各搬送爪の間を延びるように板状に形成される請求項８記載のロールベーラ。
【手続補正２】
【補正対象書類名】明細書
【補正対象項目名】００１２
【補正方法】変更
【補正の内容】
【００１２】
１．牧草等の搬送ローラ８７に対する押し付け力が充分でなく、牧草等が図中矢印Ａで示す部分に停滞してしまう。特に、牧草等が切断されずに搬送され、搬送爪８９により後方上方へと掻き揚げられて滞留した場合、搬送ローラ８７による搬送ができなくなってしまう。また、牧草等が切断された場合であっても、切断された牧草等がふわふわの状態であるときなどにもこの問題が発生する。
【手続補正３】
【補正対象書類名】明細書
【補正対象項目名】００１３
【補正方法】変更
【補正の内容】
【００１３】
２．図中矢印Ｂで示す部分において、幅方向両端に位置する搬送爪８９と機枠７７の内側面との間に牧草等が停滞してしまう。
【手続補正４】
【補正対象書類名】明細書
【補正対象項目名】００１４
【補正方法】変更
【補正の内容】
【００１４】
３．回転搬送ロータ８６の搬送爪８９による牧草等を切断刃８５に押し付ける力が充分でなく、牧草等を確実に切断できない場合があった。特に、搬送爪８９は搬送方向後方側では牧草等を上方へと掻き揚げるように作用するため、牧草等の切断刃８５に対する押付力が小さくなってしまう。また、搬送爪８９は円筒部８８に対して周方向に間隔を隔てて（図例では１８０°）配置されているため、搬送爪８９の位相によっては牧草等を押し付けることができない。
【手続補正５】
【補正対象書類名】明細書
【補正対象項目名】００１５
【補正方法】変更
【補正の内容】
【００１５】
特に、牧草等が水に濡れている場合はしなやかで切断しずらいため、切断不良が発生しやすい。その結果、切断されなかった牧草等が搬送爪８９にＶ字状に引っかかり、円筒部８８に巻き付いたり、各搬送爪８９の間に詰まってしまい円滑な搬送ができなくなってしまう。
【手続補正６】
【補正対象書類名】明細書
【補正対象項目名】００１６
【補正方法】変更
【補正の内容】
【００１６】
４．ピックアップ装置７１で拾い上げた牧草等が縦向きで床板８３上に搬送された場合、牧草等が幅方向に並設された各搬送爪８９の間に刺さって詰まってしまう。
【手続補正７】
【補正対象書類名】明細書
【補正対象項目名】００１７
【補正方法】変更
【補正の内容】
【００１７】
そこで、本発明の目的は、上記課題を解決し、ピックアップ装置で拾い上げた牧草等をロールベール成形装置へ円滑に搬送できるロールベーラを提供することにある。
【手続補正８】
【補正対象書類名】明細書
【補正対象項目名】００１８
【補正方法】変更
【補正の内容】
【００１８】
【課題を解決するための手段】
上記目的を達成するために本発明は、ピックアップ装置の回転フォークにより拾い上げた牧草等を搬送装置によってロールベール成形装置へと搬送し、そのロールベール成形装置により牧草等をロールベールに成形するロールベーラにおいて、上記搬送装置は、上記回転フォークで拾い上げた牧草等を上記ロールベール成形装置まで案内するための床板と、その床板の経路の途中に設けられ、上記床板上を搬送される牧草等を切断するための切断刃と、上記床板の上方に設けられ、上記牧草等を上記切断刃に押し付けつつ上記ロールベール成形装置側へ搬送する回転搬送ロータとを備え、上記回転搬送ロータの下方で上記床板の両側部に、上記ロールベール成形装置側に向かうにつれて幅方向内側に突出するように傾斜する傾斜部材を配置したものである。
【手続補正９】
【補正対象書類名】明細書
【補正対象項目名】００１９
【補正方法】変更
【補正の内容】
【００１９】
また、上記傾斜部材の傾斜角度が変更可能であることが好ましい。
【手続補正１０】
【補正対象書類名】明細書
【補正対象項目名】００２１
【補正方法】変更
【補正の内容】
【００２１】
更に、上記搬送装置が、上記搬送ローラの上方に揺動自在かつ回転自在に設けられた押圧搬送手段を更に備えても良い。
【手続補正１１】
【補正対象書類名】明細書
【補正対象項目名】００２２
【補正方法】変更
【補正の内容】
【００２２】
上記押圧搬送手段は駆動ローラであっても良い。
【手続補正１２】
【補正対象書類名】明細書
【補正対象項目名】００２３
【補正方法】変更
【補正の内容】
【００２３】
また、上記ピックアップ装置の上方に、上記回転フォークで拾い上げた牧草等を上記回転フォークとで挟み込む第一押さえ棒を設け、上記床板の上方に、上記回転搬送ロータの前方から上記切断刃の上方に延出し、床板上を搬送される牧草等を上記床板及び切断刃に押し付ける第二押さえ棒を設けると良い。
【手続補正１３】
【補正対象書類名】明細書
【補正対象項目名】００２４
【補正方法】変更
【補正の内容】
【００２４】
ここで、上記第一押さえ棒の後端部と上記第二押さえ棒の前端部とがオーバーラップさせて設けられることが好ましい。
【手続補正１４】
【補正対象書類名】明細書
【補正対象項目名】００２５
【補正方法】変更
【補正の内容】
【００２５】
また、上記回転搬送ロータの前方から上記回転搬送ロータと上記床板との間を通って上記搬送ローラ近傍まで延出し、上記牧草等を上記床板及び搬送ローラに押し付ける第三押さえ棒を更に備えることが好ましい。
【手続補正１５】
【補正対象書類名】明細書
【補正対象項目名】００２６
【補正方法】変更
【補正の内容】
【００２６】
また、上記回転搬送ロータは上記床板の幅方向に間隔を隔てて複数設けられた搬送爪を有し、上記第三押さえ棒は、上記回転搬送ロータの前方に位置する部分が、各搬送爪の間を延びるように板状に形成されることが好ましい。
【手続補正１６】
【補正対象書類名】明細書
【補正対象項目名】００６８
【補正方法】変更
【補正の内容】
【００６８】
【発明の効果】
以上要するに本発明によれば、ピックアップ装置で拾い上げた牧草等をロールベール成形装置へ円滑に搬送できるという優れた効果を発揮するものである。